(57)【要約】      （修正有）【課題】降圧のみのＤＣ／ＤＣコンバータ設計を使用した、高効率で、低コストで、初歩的なＵＳＢＰＤデバイス及びそれを操作する方法を提供する。【解決手段】電力供給デバイス１０は、入力電圧を受け取り、第１の出力電圧または第１の出力電圧よりも小さい第２の出力電圧を生成するＤＣ／ＤＣ電力コンバータ１４を含む。第１および第２の出力電圧は、それぞれ入力電圧よりも小さく、デバイスコントローラ１６がＤＣ／ＤＣ電力コンバータ１４と通信する。デバイスコントローラ１６は、１つまたは複数のプロセッサおよびメモリを有する。メモリは、入力電圧が閾値電圧以上であるときに第１の出力電圧を出力するよう指令し、入力電圧が閾値電圧未満であるときに第２の出力電圧を出力するよう指令する。【選択図】図１
2019198217.tif 000002
【特許請求の範囲】
【請求項１】
電力供給デバイス（１０）であって、該電力供給デバイス（１０）は、
入力電圧（３０）を受け取り、第１の出力電圧（２４）、または前記第１の出力電圧（２４）よりも小さい第２の出力電圧（２４）を生成するＤＣ／ＤＣ電力コンバータ（１４）を備えており、前記第１の出力電圧（２４）および第２の出力電圧（２４）は、それぞれ前記入力電圧（３０）よりも小さく、
前記電力供給デバイス（１０）は、また、前記ＤＣ／ＤＣ電力コンバータ（１４）と通信するデバイスコントローラ（１６）を備えており、
前記デバイスコントローラ（１６）は、１つまたは複数のプロセッサおよびメモリを有し、
前記メモリは、
前記入力電圧（３０）が閾値電圧（３２）以上であるときに、前記第１の出力電圧（２４）を出力するよう前記ＤＣ／ＤＣ電力コンバータ（１４）に指令することを、前記デバイスコントローラ（１６）に行わせる命令と、
前記入力電圧（３０）が前記閾値電圧（３２）未満であるときに、前記第２の出力電圧（２４）を出力するよう前記ＤＣ／ＤＣ電力コンバータ（１４）に指令することを、前記デバイスコントローラ（１６）に行わせる命令とを含む、電力供給デバイス（１０）。
【請求項２】
請求項１に記載の電力供給デバイス（１０）において、
前記閾値電圧（３２）が、前記第１の出力電圧（２４）以上である、電力供給デバイス（１０）。
【請求項３】
請求項２に記載の電力供給デバイス（１０）において、
前記ＤＣ／ＤＣ電力コンバータ（１４）が、前記入力電圧（３０）よりも大きい出力電圧（２４）を提供することができない、電力供給デバイス（１０）。
【請求項４】
請求項３に記載の電力供給デバイス（１０）において、
前記電力供給デバイス（１０）が、さらに、前記デバイスコントローラ（１６）と通信する入力電圧（３０）検出回路を備えており、
前記メモリは、前記入力電圧（３０）が前記閾値電圧（３２）より小さいと前記入力電圧（３０）検出回路が判定したとき、前記第２の出力電圧（２４）を出力するよう前記ＤＣ／ＤＣ電力コンバータ（１４）に指令することを、前記デバイスコントローラ（１６）に行わせる追加の命令を含む、電力供給デバイス（１０）。
【請求項５】
請求項３に記載の電力供給デバイス（１０）において、
前記電力供給デバイス（１０）が、前記デバイスコントローラ（１６）と通信するスタート／ストップコントローラ（２０）を有する自動車内に配設され、
前記メモリは、さらに、前記デバイスコントローラ（１６）が前記スタート／ストップコントローラ（２０）から走行信号を受け取ったことに応じて、前記第１の出力電圧（２４）を出力するよう前記ＤＣ／ＤＣ電力コンバータ（１４）に指令することを、前記デバイスコントローラ（１６）に行わせる命令を含み、
前記メモリは、さらに、前記デバイスコントローラ（１６）が前記スタート／ストップコントローラ（２０）からストップ信号を受け取ったことに応じて、前記第２の出力電圧（２４）を出力するよう前記ＤＣ／ＤＣ電力コンバータ（１４）に指令することを、前記デバイスコントローラ（１６）に行わせる命令を含む、電力供給デバイス（１０）。
【請求項６】
請求項５に記載の電力供給デバイス（１０）において、
前記スタート／ストップコントローラ（２０）が、コントローラエリアネットワーク（ＣＡＮ）通信バスによって、前記デバイスコントローラ（１６）に接続される、電力供給デバイス（１０）。
【請求項７】
請求項５に記載の電力供給デバイス（１０）において、
前記スタート／ストップコントローラ（２０）が、ローカル相互接続ネットワーク（ＬＩＮ）通信バスによって、前記デバイスコントローラ（１６）に接続される、電力供給デバイス（１０）。
【請求項８】
請求項５に記載の電力供給デバイス（１０）において、
前記走行信号は、前記入力電圧（３０）が前記閾値電圧（３２）以上に維持されることを示し、
前記ストップ信号は、前記入力電圧（３０）が前記閾値電圧（３２）未満に落ちるかもしれないことを示す、電力供給デバイス（１０）。
【請求項９】
請求項３に記載の電力供給デバイス（１０）において、
前記電力供給デバイス（１０）が、ユニバーサルシリアルバス（ＵＳＢ）ハブと通信するＵＳＢポート内に配設され、
前記メモリは、さらに、前記入力電圧（３０）が前記閾値電圧（３２）以上に維持されることを示す第１のＵＳＢ信号を、前記デバイスコントローラ（１６）が前記ＵＳＢハブから受け取ったことに応じて、前記第１の出力電圧（２４）を出力するよう前記ＤＣ／ＤＣ電力コンバータ（１４）に指令することを、前記デバイスコントローラ（１６）に行わせる命令を含み、
前記メモリはさらに、前記入力電圧（３０）が前記閾値電圧（３２）未満に落ちるかもしれないことを示す第２の信号を、前記デバイスコントローラ（１６）が前記ＵＳＢハブから受け取ったことに応じて、前記第２の出力電圧（２４）を出力するよう前記ＤＣ／ＤＣ電力コンバータ（１４）に指令することを、前記デバイスコントローラ（１６）に行わせる命令を含む、電力供給デバイス（１０）。
【請求項１０】
請求項１に記載の電力供給デバイス（１０）において、
前記第１の出力電圧（２４）が約９ボルトであり、前記第２の出力電圧（２４）が約５ボルトである、電力供給デバイス（１０）。
【請求項１１】
１つまたは複数のプロセッサおよびメモリを有するデバイスコントローラ（１６）と、前記デバイスコントローラ（１６）と通信するＤＣ／ＤＣ電力コンバータ（１４）とにおける方法において、
入力電圧（３０）を受け取るステップ（１０２）と、
前記入力電圧（３０）が閾値電圧（３２）に等しいか、それより大きいか、それより小さいかを示す信号を受け取るステップ（１０４）と、
前記入力電圧（３０）が前記閾値電圧（３２）に等しいと前記デバイスコントローラ（１６）が判定したことに応じて、前記ＤＣ／ＤＣ電力コンバータ（１４）によって第１の出力電圧（２４）を生成するステップ（１０６）と、
前記入力電圧（３０）が前記閾値電圧（３２）より大きいと前記デバイスコントローラ（１６）が判定したことに応じて、前記ＤＣ／ＤＣ電力コンバータ（１４）によって前記第１の出力電圧（２４）を生成するステップ（１０８）と、
前記入力電圧（３０）が前記閾値電圧（３２）より小さいと前記デバイスコントローラ（１６）が判定したことに応じて、
前記ＤＣ／ＤＣ電力コンバータ（１４）によって、前記第１の出力電圧（２４）よりも小さい第２の出力電圧（２４）を生成するステップ（１１０）とを含み、
前記第１および第２の出力電圧（２４）が、それぞれ、前記入力電圧（３０）よりも小さい、方法（１００）。
【請求項１２】
請求項１１に記載の方法（１００）において、
前記閾値電圧（３２）が前記第１の出力電圧（２４）以上である、方法（１００）。
【請求項１３】
請求項１２に記載の方法（１００）において、
前記ＤＣ／ＤＣ電力コンバータ（１４）が、前記入力電圧（３０）よりも大きい出力電圧（２４）を提供することができない、方法（１００）。
【請求項１４】
請求項１１に記載の方法（１００）において、
前記第１の出力電圧（２４）が約９ボルトであり、前記第２の出力電圧（２４）が約５ボルトである、方法（１００）。
【発明の詳細な説明】
【技術分野】
【０００１】
関連出願の相互参照
[0001]本明細書は、２０１８年４月１７日に出願された米国特許出願第１５／９５４，８５１号の優先権を主張する。
【０００２】
[0002]本発明は一般に、電力供給デバイス、および電力供給デバイスを操作する方法に関する。
【先行技術文献】
【非特許文献】
【０００３】
【非特許文献１】ＵＳＢパワーデリバリ規格３．０
【発明の概要】
【０００４】
[0003]ここで例として添付図面を参照しながら、本発明が説明される。
【図面の簡単な説明】
【０００５】
【図１】[0004]一実施形態による電力供給デバイスの概略図である。
【図２】[0005]一実施形態による電力供給デバイスを操作する方法のフロー図である。
【図３】[0006]一実施形態による電力供給デバイスの入力電圧および出力電圧のグラフである。
【発明を実施するための形態】
【０００６】
[0007]添付図面に例が示されている実施形態を、ここで詳細に参照する。以下の詳細な説明では、記載される様々な実施形態を完全に理解するために、多くの具体的な詳細事項が述べられる。しかし、記載される様々な実施形態はこれらの具体的な詳細事項がなくても実施可能であることが、当業者には明らかであろう。他の例、よく知られた方法、手順、構成要素、回路、およびネットワークは、実施形態の態様を不必要にあいまいにすることがないように、記載されていない。
【０００７】
[0008]ユニバーサルシリアルバス（ＵＳＢ）は、制限された電力を供給することができるデータインターフェースから、データインターフェースを用いた電力の主要な供給源へと進化してきた。今日、多くのデバイスが、ラップトップ、車、航空機、またはさらには壁のソケットに組み込まれたＵＳＢポートから、電力を充電または取得する。ＵＳＢは、携帯電話、デジタルメディアプレーヤ、および／または他の携帯型デバイスなど多くのコンピュータデバイス用の広く普及した電力ソケットになった。ユーザは、データに関する自らの必要性を満たすためだけでなく、「従来の」ＵＳＢ機能を実行するために、簡単に、多くの場合ドライバをロードする必要なく、自らのデバイスに電力を供給する、またはそれらを充電するためにＵＳＢを利用する。
【０００８】
[0009]ＵＳＢパワーデリバリ（ＰＤ）規格は、単一のケーブルを介してデータとともに、例えばバッテリ充電のためにより柔軟な電力送達を実現することによって、ＵＳＢの機能性を最大限にすることができる。その目的は、既存のＵＳＢエコシステムを用いて動作しこのエコシステムを拡張の土台にすることである。ＵＳＢパワーデリバリ規格３．０は、ＵＳＢインプリメンターズフォーラム（Ｉｍｐｌｅｍｅｎｔｅｒ’ｓ  Ｆｏｒｕｍ，Ｉｎｃ）によって発行され、参照により本明細書に組み込まれる。
【０００９】
[0010]ＵＳＢパワーデリバリ規格に準拠したＵＳＢＰＤデバイスの、自動車用途における従来の実装では、典型的な車両の入力電圧である１２〜１４ボルトより高くかつ低い５ボルト〜２０ボルトの電圧を生成するために、「降圧／昇圧」ＤＣ／ＤＣ電力コンバータが使用されてきた。入力電圧より大きい、またはそれより小さいＤＣ出力電圧を供給することができる降圧／昇圧ＤＣ／ＤＣコンバータは、入力電圧より小さいＤＣ出力電圧のみを供給することができる降圧のみのＤＣ／ＤＣコンバータよりもさらに高価であり、物理的に大きく、エネルギー効率が低い。本発明者らは、降圧のみのＤＣ／ＤＣコンバータ設計を使用した、高効率で、低コストで、初歩的なＵＳＢＰＤデバイスを本明細書において提案する。
【００１０】
[0011]厳しい燃費基準および排気基準を満たすために、自動車の相手先ブランド製造業者（ＯＥＭ）は、内燃機関を自動的に停止および再始動させてエンジンがアイドリングで費やす時間量を短縮し、それにより車両の燃料消費および排気を低減させるスタート／ストップ技術を、自社の車両に組み込んでいる。
【００１１】
[0012]ＯＥＭは、車両のバッテリ電圧を一時的に６ボルトまで落としてウォームスタート中の車両のクランキングをシミュレートする「スタート／ストップ」過渡試験に適合することを求める要件を、車両のバッテリによって電力供給されるＵＳＢＰＤデバイスおよび他の自動車電気モジュールに課した。この過渡中、ＵＳＢＰＤデバイスは、消費者体験のために中断することなく機能し続けることが期待される。過渡中のほんの６ボルトの入力電圧では、降圧のみのＤＣ／ＤＣコンバータが、入力電圧よりも高い出力電圧、例えば９ボルトを、消費者デバイスに対して充電中に維持することは不可能である。
【００１２】
[0013]提案される革新的な解決策は、車両の電力状態を示すために信号を車両からＵＳＢＰＤデバイスに提供することである。通常の車両走行モードの間、車両の電圧は典型的には１２〜１４Ｖの範囲にあると見込まれ、降圧のみのＤＣ／ＤＣコンバータは、高速充電モードで消費者充電デバイスによって使用される９ボルトの出力を生成することができる。車両がストップ／スタートモードに入ると、すなわち、車両が移動をストップし、自動的にエンジンを切ると、モードの変化が信号によって車両からＵＳＢＰＤデバイスのコントローラに通信され、次いでＵＳＢＰＤデバイスは、消費者デバイスとの充電接触を再ネゴシエーションして、通常の充電動作を行えるように５ボルトの出力電圧を提供する。その後、車がクランクサイクルの過渡に置かれたとき、降圧コンバータは、充電セッションを妨げることなく５ボルトの出力を維持することができる。エンジンがスタートして走行モードに戻った後、ＵＳＢＰＤデバイスは、別の信号によって再び通知を受け、９ボルトの出力に戻る。この革新によって、フル機能を備えた高コストのＵＳＢＰＤデバイスに重きを置かない、低コストの「初歩的な」ＰＤ解決策が提供される。
【００１３】
[0014]図１は、電力供給デバイス、例えば、以下でＰＤデバイス１０と呼ばれるユニバーサルシリアルバス（ＵＳＢ）電力送達（ＰＤ）デバイスを示しており、ＰＤデバイス１０は、モータ車両１２で使用されるように設計されている。ＰＤデバイス１０は、車両１２においてＵＳＢ対応デバイス（図示せず）のバッテリ充電をサポートするために使用することができる。ＰＤデバイス１０は、以下でＤＣコンバータ１４と呼ばれる降圧のみのＤＣ／ＤＣ電力コンバータを含んでおり、ＤＣコンバータ１４は、車両の電気システムから入力電圧を受け取る。出力電圧は、少なくとも２つの異なる電圧のうちの１つ、例えば速いＵＳＢ充電速度をサポートするための９ボルト出力、または通常のＵＳＢ充電速度をサポートするための５ボルト出力とすることができる。降圧のみのＤＣ／ＤＣ電力コンバータであるＤＣコンバータ１４は、入力電圧よりも大きい出力電圧を提供することができない。
【００１４】
[0015]ＰＤデバイス１０は、ＤＣコンバータ１４と通信するデバイスコントローラ１６も含む。デバイスコントローラ１６は、１つまたは複数のプロセッサおよびメモリを有する。プロセッサは、マイクロプロセッサ、もしくは特定用途向け集積回路（ＡＳＩＣ）であってもよく、または個々の論理回路およびタイミング回路（図示せず）から構築されてもよい。プロセッサをプログラムするソフトウェア命令は、不揮発性（ＮＶ）メモリデバイス（図示せず）に記憶されてもよい。ＮＶメモリデバイスは、マイクロプロセッサもしくはＡＳＩＣに組み込まれてもよく、または別個のデバイスであってもよい。使用することができるＮＶメモリの種類の非限定的な例は、電気的に消去可能でプログラム可能な読取り専用メモリ（ＥＥＰＲＯＭ）、マスク読取り専用メモリ（ＲＯＭ）、およびフラッシュメモリを含む。メモリは、入力電圧が閾値電圧以上であるときに、高い出力電圧、例えば９ボルトを出力するようＤＣコンバータ１４に指令することを、デバイスコントローラ１６に行わせる命令、および入力電圧が閾値電圧未満である、または今後そうなるときに、低い出力電圧、例えば５ボルトを出力するようＤＣコンバータ１４に指令することを、デバイスコントローラ１６に行わせる命令を記憶する。閾値電圧は、高い出力電圧以上である。
【００１５】
[0016]また、ＰＤデバイス１０は、コントローラエリアネットワーク（ＣＡＮ）トランシーバ、ローカル相互接続ネットワーク（ＬＩＮ）トランシーバ、ＵＳＢトランシーバ、および／または入力電圧検出回路、例えばアナログ／デジタルコンバータ回路など、車両１２内の他のデバイスとの電気通信をＰＤデバイス１０が確立できるようにするためのインターフェース回路１８を含む。
【００１６】
[0017]入力電圧検出回路を含む実施形態では、この回路は、車両の電力供給部、例えば車両のバッテリ（図示せず）、およびデバイスコントローラ１６と通信し、車両のバッテリからＰＤデバイス１０への入力電圧を判定し、この情報をデバイスコントローラ１６に送信するように構成されている。メモリは、入力電圧が閾値電圧より大きい、例えば９．５または１０ボルトであると入力電圧検出回路が判定したとき、高い出力電圧、例えば９ボルトを出力するようＤＣコンバータ１４に指令することを、デバイスコントローラ１６に行わせる追加の命令、および入力電圧が閾値電圧より小さいと入力電圧検出回路が判定したとき、低い出力電圧、例えば５ボルトを出力するようＤＣコンバータ１４に指令することを、デバイスコントローラ１６に行わせる追加の命令を含む。
【００１７】
[0018]別の実施形態では、ＰＤデバイス１０は、ＣＡＮトランシーバ、ＬＩＮトランシーバを介して、スタート／ストップコントローラ２０と通信する。メモリはさらに、スタート／ストップコントローラ２０からの走行信号をデバイスコントローラ１６が受け取ったことに応じて、高い出力電圧を出力するようＤＣコンバータ１４に指令することを、デバイスコントローラ１６に行わせる命令を含む。スタート／ストップコントローラ２０からのストップ信号をデバイスコントローラ１６が受け取ったことに応じて、低い出力電圧を出力するようＤＣコンバータ１４に指令することを、走行信号を受け取ることによって、デバイスコントローラ１６に行わせる。走行信号は、ＩＣエンジン２２が走行中であることを示し、したがって、入力電圧は閾値電圧以上に維持されることになる。ストップ信号は、ＩＣエンジン２２が走行していないこと、および入力電圧が、例えばクランキング過渡中に、閾値電圧未満に落ちるかもしれないことを示す。
【００１８】
[0019]さらに別の実施形態では、ＰＤデバイス１０は、ＵＳＢハブと通信するＵＳＢポート内に配設される。メモリは、入力電圧が閾値電圧以上に維持されることを示す第１のＵＳＢ信号を、デバイスコントローラ１６がＵＳＢハブから受け取ったことに応じて、高い出力電圧を出力するようＤＣコンバータ１４に指令することを、デバイスコントローラ１６に行わせる命令と、入力電圧が閾値電圧未満に落ちるかもしれないことを示す第２の信号を、デバイスコントローラ１６がＵＳＢハブから受け取ったことに応じて、低い出力電圧を出力するようＤＣコンバータ１４に指令することを、デバイスコントローラ１６に行わせる命令と、を含む。
【００１９】
[0020]図２は、ＤＣコンバータ１４およびデバイスコントローラ１６を含むＰＤデバイス１０を操作する方法１００を示す。方法１００は以下のステップを含む。
[0021]入力電圧を受け取るステップ１０２は、ＰＤデバイス１０が、電力源、例えば車両の電気システムから入力電圧を受け取るステップを含む。
【００２０】
[0022]信号を受け取るステップ１０４は、入力電圧が、閾値電圧に等しいか、それより大きいか、それより小さいかを示す信号を、ＰＤデバイス１０が受け取るステップを含む。
【００２１】
[0023]入力電圧が閾値電圧に等しいとデバイスコントローラが判定したことに応じて、ＤＣコンバータによって第１の出力電圧を生成するステップ１０６は、入力電圧が閾値電圧に等しいとデバイスコントローラ１６が判定したことに応じて、ＰＤデバイス１０が、ＤＣコンバータ１４によって、高い出力電圧、例えば９ボルトを生成するステップを含む。
【００２２】
[0024]入力電圧が閾値電圧より大きいとデバイスコントローラが判定したことに応じて、ＤＣ／ＤＣ電力コンバータによって第１の出力電圧を生成するステップ１０８は、入力電圧が閾値電圧より大きいとデバイスコントローラ１６が判定したことに応じて、ＰＤデバイス１０が、ＤＣコンバータ１４によって、高い出力電圧を生成するステップを含む。
【００２３】
[0025]入力電圧が閾値電圧より小さいとデバイスコントローラが判定したことに応じて、ＤＣ／ＤＣ電力コンバータによって第２の出力電圧を生成するステップ１１０は、入力電圧が閾値電圧より小さいとデバイスコントローラ１６が判定したことに応じて、ＰＤデバイス１０が、ＤＣコンバータ１４によって、第１の出力電圧よりも小さい第２の出力電圧を生成するステップを含む。
【００２４】
[0026]第１および第２の出力電圧は、それぞれ入力電圧よりも小さい。閾値電圧は、第１の出力電圧以上である。
[0027]特定の実施形態によれば、図３に示されるように、ＰＤデバイス１０が、２７ワット、すなわち出力電圧２４が９Ｖかつ電流容量が３Ａで、消費者デバイス（図示せず）とＰＤコントラクト（パワーデリバリのための契約）をネゴシエーション（取り決め）済みであり、スタート／ストップ事象２６が車両１２において発生した場合、ＰＤデバイス１０は、電力ネゴシエーションを２７ワットから１５ワットに、すなわち出力電圧２４が５Ｖかつ電流容量が３Ａに変える。ＵＳＢＰＤの仕様ごとに、消費者デバイスは新しい１５ワット性能を選択することになる。ストップ／スタート事象が終わると、ＰＤデバイス１０は、２７ワット性能を再ネゴシエーションし、消費者デバイスは必要な最も高い電力を選択する。
【００２５】
[0028]この実施形態では、入力電圧３０がＰＤデバイス１０によって継続的に監視される。入力電圧３０が電圧閾値３２まで落ちると、ＰＤデバイス１０は、消費者デバイスと１５ワットのみのコントラクトをネゴシエーションする。入力電圧３０が電圧閾値３２より上がると、ＰＤデバイス１０は、消費者デバイスと２７ワットのコントラクトをネゴシエーションする。
【００２６】
[0029]代替的な実施形態では、ＰＤデバイス１０は、車両１２からスタート／ストップ信号、例えばＣＡＮ信号／ＬＩＮ信号／個々の信号を受け取り、スタート／ストップ信号を受け取ったときには、消費者デバイスと１５ワットのコントラクトをネゴシエーションし、スタート／ストップ信号をもはや受け取らない、またはスタート／ストップ事象の完了を示す信号を受け取った場合には、高い電力、例えば２７ワットのコントラクトをネゴシエーションする。
【００２７】
[0030]したがって、電力供給デバイス、例えばＵＳＢＰＤデバイス１０、およびこのようなデバイスを操作する方法１００が提供される。このデバイスは、スタート／ストップシステムを有するモータ車両１２において、従来のＵＳＢＰＤデバイス設計よりも低いコストで確実に動作することができるＵＳＢＰＤデバイス１０の利益を提供する。
【００２８】
[0031]本発明は、その好ましい実施形態に関して記載されたが、そのように限定されるものではなく、むしろ以下の特許請求の範囲に述べられた範囲にのみ限定されるものである。例えば、上に記載の実施形態（および／またはその態様）は、互いに組み合わせて使用されてもよい。それに加えて、本発明の範囲から逸脱することなく、本発明の教示に対して特定の状況または材料を構成するように、多くの修正形態が作られてもよい。本明細書に記載の様々な構成要素の寸法、材料の種類、向き、ならびに様々な構成要素の数および位置は、特定の実施形態のパラメータを定義するものであり、決して限定するものではなく、単なるプロトタイプの実施形態に過ぎない。
【００２９】
[0032]上の記載を精査すれば、特許請求の範囲に記載の趣旨および範囲内で、多くの他の実施形態および修正形態が当業者には明らかであろう。したがって、本発明の範囲は、以下の特許請求の範囲とともに、これらの特許請求の範囲が権利付与される等価物の全範囲を参照して、判定されるべきである。
【００３０】
[0033]本明細書で使用されるとき「１つまたは複数の」は、１つの要素によって実行される１つの機能、２つ以上の要素によって、例えば分散された状態で、実行される１つの機能、１つの要素によって実行されるいくつかの機能、いくつかの要素によって実行されるいくつかの機能、またはこれらの任意の組合せを含む。
【００３１】
[0034]また、第１の、第２のなどの用語は、いくつかの事例では、様々な要素を記載するために本明細書において使用されるが、これらの要素がこれらの用語によって限定されるべきではないことも理解されよう。これらの用語は、１つの要素を別の要素から区別するためだけに使用される。例えば、記載された様々な実施形態の範囲から逸脱することなく、第１の接触部が第２の接触部と呼ばれてもよく、同様に、第２の接触部が第１の接触部と呼ばれてもよい。第１の接触部および第２の接触部は、両方とも接触部であるが、同じ接触部ではない。
【００３２】
[0035]本明細書に記載された様々な実施形態の説明において使用される用語は、単に特定の実施形態を記載することを目的としたものであり、限定するものではない。記載された様々な実施形態の説明および添付の特許請求の範囲で使用されるとき、単数形「ａ」、「ａｎ」、および「ｔｈｅ」は、文脈上別段に明記されていないかぎり、複数形も含むものとする。また、本明細書で使用されるとき、「および／または」という用語は、列挙される関連項目のうちの１つまたは複数の項目のありとあらゆる可能な組合せを指し、これらを包含することが理解される。本明細書で使用されるとき、「含む（ｉｎｃｌｕｄｅｓ）」、「含む（ｉｎｃｌｕｄｉｎｇ）」、「備える（ｃｏｍｐｒｉｓｅｓ）」、および／または「備える（ｃｏｍｐｒｉｓｉｎｇ）」という用語は、述べられた特徴、整数、ステップ、動作、要素、および／または構成要素の存在を特定するが、他の特徴、整数、ステップ、動作、要素、構成要素、および／またはそれらのグループの存在を排除しないことがさらに理解される。
【００３３】
[0036]本明細書で使用されるとき、「〜の場合（ｉｆ）」という用語は、任意選択で文脈に応じて、「〜するとき」、または「〜すると」、または「判定したことに応じて」、または「検出したことに応じて」を意味すると解釈される。同様に、「〜と判定された場合」、または「（述べられた条件または事象が）検出された場合」というフレーズは、任意選択で文脈に応じて、「判定すると」、または「判定したことに応じて」、または「（述べられた条件または事象を）検出すると」、または「（述べられた条件または事象を）検出したことに応じて」を意味すると解釈される。
【００３４】
[0037]それに加えて、順序または向きの用語が、本明細書で使用されることがあるが、これらの要素はこれらの用語によって限定されるべきではない。順序または向きのすべての用語は、別段の記載がないかぎり、１つの要素を別の要素から区別する目的で使用されており、別段の記載がないかぎり、いかなる特定の順番、動作の順番、方向、または向きも指定しない。
【符号の説明】
【００３５】
１０  電力供給デバイス
１２  車両
１４  ＤＣ／ＤＣ電力コンバータ
１６  デバイスコントローラ
１８  インターフェース回路
２０  スタート／ストップコントローラ
２２  ＩＣエンジン
２４  出力電圧
２６  スタート／ストップ事象
３０  入力電圧
３２  閾値電圧
【図１】
2019198217.tif 000003
【図２】
2019198217.tif 000004
【図３】
2019198217.tif 000005
【外国語明細書】
2019198217000001.pdf